(57)【特許請求の範囲】
【請求項１】
筐体と、
前記筐体の前面側に設けられ、表示部を有する第１パネル部と操作部を有する第２パネル部のそれぞれの一端が回動自在に連結され、前記第１パネル部又は前記第２パネル部が回動することによって、前記表示部の表示面側と前記操作部の操作面側とが対向して折り畳まれた第１の状態と、前記表示面及び前記操作面が展開して露出された第２の状態と、が形成されるパネルと、
前記筐体に設けられ、前記パネルに連結して前記パネルを前後方向に移動させる移動部材と、
前記パネルを第１の状態のまま回動させて起立状態と水平状態とを形成するパネル回動手段と、
を備える電子機器において、
起立状態で前記筐体の前面部を覆う配置の前記パネルを前記筐体の前方に移動させ、次いで、その起立状態の前記パネルを後面側に回動させて水平状態にし、その水平状態の前記パネルにおける前記第１パネル部又は前記第２パネル部を後面側に回動させて起立させて、前記表示面及び前記操作面を前記筐体の前面側に露出させることを特徴とする電子機器。
【請求項２】
前記パネルは、前記移動部材に、着脱可能に連結されていることを特徴とする請求項１記載の電子機器。
【請求項３】
前記筐体は、前記パネルの後方に記録媒体ディスクを出し入れするためのディスク出し入れ口を有した機器本体を収納することを特徴とする請求項１又は２に記載の電子機器。
【請求項４】
前記パネルは、前記起立状態時に前記第１パネル部が前方、前記第２パネル部が後方となるように配置されることを特徴とする請求項１〜３の何れか一項に記載の電子機器。
【請求項５】
前記移動部材は、前記パネルを支持する左右一対のアームを備えており、
前記第２パネル部は、前記水平状態時に、前記一対のアームの内側に収納可能な大きさに形成されていることを特徴とする請求項１〜４の何れか一項に記載の電子機器。
【請求項６】
水平状態の前記パネルの前記第１パネル部を後面側に回動させて起立状態にする第２のパネル回動手段を備えていることを特徴とする請求項１〜５の何れか一項に記載の電子機器。
【発明の詳細な説明】
【０００１】
【発明の属する技術分野】
本発明は、電子機器に関する。
【０００２】
【従来の技術】
従来、液晶表示部や操作部等を備えるパネルが前面に設けられ、該パネルが可動に構成されている電子機器が知られており、例えば、カーオーディオや小型の液晶テレビ、カーナビ等に利用されている。
従来の電子機器１００は、例えば、図１１に示す２ＤＩＮ（ディン）サイズのカーオーディオの場合、モニタや操作部を備えたパネル１０１と、このパネル１０１を前面に設けた筐体１０２とを備える。尚、パネル１０１の後方の筐体１０２内には、例えばＣＤ（コンパクトディスク）装置やＭＤ（ミニディスク）装置等の音響機器が組み込まれている。
【０００３】
パネル１０１の表面部１０１Ａには、例えば、表示画面１０３や、操作ボタン１０４、記録媒体ディスクの出し入れ口１０５等が配置されている。そして、パネル１０１は、パネル１０１の側部等に設けられたヒンジ（図示なし）等により筐体１０２の前面部に設けられた枠に組み込まれるようにして、取り付けられている。そして、パネル１０１は、ヒンジ（図示なし）により上下方向あるいは左右方向に回転し、車内側に露出していた表示画面１０３や操作ボタン１０４、記録媒体ディスクの出し入れ口１０５等を備えた表面部１０１Ａが裏面側となり、裏面部１０１Ｂが表面側に露出するようにして、筐体１０２の枠内に収納される。
【０００４】
上記のように、パネル１０１は、半回転して表面部１０１Ａが筐体１０２の内側を向くようにして収納可能なため、表示画面１０３、操作ボタン１０４、記録媒体ディスクの出し入れ口１０５等を、ほこりから避けることが可能なことに加え、盗難防止や、いたずら操作の防止といった効果を奏する。
【０００５】
【発明が解決しようとする課題】
しかしながら、上記電子機器１００は、パネル１０１を回転させる機構を備えるために、筐体１０２の前面部全体の面積に比して、パネル１０１の面積が小さくなってしまい、従って、表示画面１０３も小さいという問題があった。
また、パネル１０１には、表示画面１０３、及び操作ボタン１０４等が同一面に備えられているために、それぞれ独立して角度を調整することが出来ず、表示画面１０３が見づらく、ボタン操作１０４がしにくいという問題があった。
【０００６】
本発明の課題は、このような従来技術の問題点を解決することであり、具体的には、盗難やいたずらを防止し、且つ使い勝手の良いパネルを備えた電子機器を提供することである。
【０００７】
【課題を解決するための手段】
上記課題を解決するため、請求項１記載の発明は、
筐体と、
前記筐体の前面側に設けられ、表示部を有する第１パネル部と操作部を有する第２パネル部のそれぞれの一端が回動自在に連結され、前記第１パネル部又は前記第２パネル部が回動することによって、前記表示部の表示面側と前記操作部の操作面側とが対向して折り畳まれた第１の状態と、前記表示面及び前記操作面が展開して露出された第２の状態と、が形成されるパネルと、
前記筐体に設けられ、前記パネルに連結して前記パネルを前後方向に移動させる移動部材と、
前記パネルを第１の状態のまま回動させて起立状態と水平状態とを形成するパネル回動手段と、
を備える電子機器において、
起立状態で前記筐体の前面部を覆う配置の前記パネルを前記筐体の前方に移動させ、次いで、その起立状態の前記パネルを後面側に回動させて水平状態にし、その水平状態の前記パネルにおける前記第１パネル部又は前記第２パネル部を後面側に回動させて起立させて、前記表示面及び前記操作面を前記筐体の前面側に露出させることを特徴とする。
【０００８】
請求項２記載の発明は、請求項１記載の電子機器において、前記パネルは、前記移動部材に、着脱可能に連結されていることを特徴とする。
【０００９】
請求項３記載の発明は、請求項１又は２に記載の電子機器において、
前記筐体は、前記パネルの後方に記録媒体ディスクを出し入れするためのディスク出し入れ口を有した機器本体を収納することを特徴とする。
【００１０】
請求項４記載の発明は、請求項１〜３の何れか一項に記載の電子機器において、
前記パネルは、前記起立状態時に前記第１パネル部が前方、前記第２パネル部が後方となるように配置されることを特徴とする。
【００１１】
請求項５記載の発明は、請求項１〜４の何れか一項に記載の電子機器において、
前記移動部材は、前記パネルを支持する左右一対のアームを備えており、
前記第２パネル部は、前記水平状態時に、前記一対のアームの内側に収納可能な大きさに形成されていることを特徴とする。
【００１２】
請求項６記載の発明は、請求項１〜５の何れか一項に記載の電子機器において、
水平状態の前記パネルの前記第１パネル部を後面側に回動させて起立状態にする第２のパネル回動手段を備えていることを特徴とする。
【００１４】
【発明の実施の形態】
以下、本発明に係る電子機器の実施の形態について、車輌に取り付けられる電子機器を例として図面を用いて説明する。また、以後の説明における前後左右上下方向は、車輌の室内から見た方向を示す。
【００１５】
図１〜図９に示すように、電子機器１０は、車輌のダッシュボード（図示なし）に取り付けられる２ＤＩＮサイズのカーオーディオ、カーナビゲーション等として用いられるもので、パネル２０と、このパネル２０を前面側に備える筐体３０と、パネル２０が着脱自在に取り付けられ、装着されたパネル２０を筐体３０の前方へ移動させるための移動部材４０と、筐体３０内に備えられ、図示しないＣＤ、ＣＤ−ＲＯＭ、ＭＤ等の再生装置などを備える機器本体５０と、から概略構成される。
【００１６】
パネル２０は、図１から図９に示すように、筐体３０の前面に設けられるものであって、閉状態において起立状態となっている。このパネル２０は、図３に示すように、表示画面（表示部）２１ａを備える外パネル（第１パネル部）２１と、操作部２２ａを備える内パネル（第２パネル部）２２とから構成される。また、外パネル２１と内パネル２２とは、表示画面２１ａと操作部２２ａとが対向するように、後端部において回動自在に連結され、外パネル２１と内パネル２２とが折り畳まれた折り畳み状態（第１の状態）、及び外パネル２１と内パネル２２が展開された展開状態（第２の状態）を形成することが可能になっている。
【００１７】
外パネル２１の内面２１ｂ、即ち内パネル２２に対向する面は、筐体３０の前面と略同形に形成され、そして、この内面２１ｂに液晶パネルからなる表示画面２２ａが設けられている。また、外パネル２１の内パネル２２との連結部分の近傍には、後述するリフトアーム４４がはめ込まれる凹部２１ｃが形成されている。一方、外パネル２１の外面２１ｄ、即ち、パネル２０の閉状態において車内側となる面は、上下端部の各部が斜めにカットされて断面六角形に形成されている。また、閉状態の外パネル２１は、筐体３０の前面部の上下端部の縁部に設けられたフロント枠３１内に組み込まれるようになっている。
【００１８】
内パネル２２は、筐体３０内に収納可能な大きさに形成されている。そして、内パネル２２の、外パネル２１と対向する面である内面２２ｂには、操作部２２ａが設けられている。また、内パネル２２の、左右両
側面には、ガイド溝２２Ｌ、２２Ｒが形成されている。
【００１９】
筐体３０は、パネル２０が備えられた前面が室内側となるように、車の運転席のダッシュボード（図示なし）に取り付けられる。
そして、筐体３０は、図１、図２、図５に示すように、左右の両側端部をＬ字に折り曲げて形成されたボトムシャシ３２に、天板３３、及び後端壁（図示なし）を取り付けて形成されている。
【００２０】
ボトムシャシ３２の底辺部３２ｃの前面部、及び天板３３の前面部の縁部には、フロント枠３１が形成されており、このフロント枠３１に外パネル２１を上下から組み込むようになっている。
【００２１】
ボトムシャシ３２の側壁３２ａ、３２ｂの内面の下部に断面視逆Ｌ字型のレール３５Ｌ、３５Ｒが、前後方向に沿って取り付けられ、更に右側壁３２ｂの内面の上部には、カム溝３６ａを備えたカム３６が取り付けられている。このカム溝３６ａは、前側端部が下方へ曲がった形状となっている。また、ボトムシャシ３２の底面３２ｃの右側部には、前後方向に沿ってセンターレール３７が取り付けられる。上記第１のスライドレール３５Ｌ、３５Ｒ、カム３６のカム溝３６ａ、及びセンターレール３７は、移動部材４０が前後方向に移動するための部材である。
【００２２】
移動部材４０は、図４に示すように、略四角形の板４１Ａの左右辺に細長い板片４１Ｌ、４１Ｒ（一対のアーム）を取り付けて形成されたスライダ４１（パネル回動手段、第２のパネル回動手段）と、板片４１Ｌ、４１Ｒの外面に前後方向に沿って取り付けられたスライドレール４２Ｌ、４２Ｒと、パネル２０を装着させるための支持ブラケット４３と、外パネル２１を持ち上げるためのリフトアーム（第２のパネル回動手段）４４、リフトアーム４４とスライダ４１を連結させるための連結アーム（パネル回動手段、第２のパネル回動手段）４５とから概略構成されている。
【００２３】
スライダ４１は、筐体３０と、筐体３０の内部に収納される機器本体５０との間に配されパネル２０を前後移動させるための部材である。そして、スライダ４１の板片４１Ｌ、４１Ｒの前端部には、支持ブラケット４３を連結させるための穴４１１ａ、４１１ｂが形成されている。
【００２４】
また、スライダ４１の板片４１Ｒの上部には、前後方向に沿ってスライド溝４１１ｃが形成されている。このスライド溝４１１ｃは筐体３０の前面側に向かって先端が上方に曲がった形状であり、このスライド溝４１１ｃに沿って連結アーム４５のピン４５ｃが摺動自在に取り付けられる。
【００２５】
また、スライダ４１の板片４１Ｒ側の板４１Ａ上面に、前後方向に沿ってラック４１Ｂが設けられている。このラック４１Ｂは、機器本体５０の内部に備えられているモータ（図示なし）によって駆動される駆動ギア（図示なし）と噛み合っている。そしてそのモータ（図示なし）の回転駆動力が、駆動ギア（図示なし）等に伝わり、ラック４１Ｂが取り付けられたスライダ４１が前後方向に移動するようになっている。
【００２６】
スライドレール４２Ｌ、４２Ｒは、図４及び５に示すように、板片４１Ｌ、４１Ｒの側面に取り付けられており、このスライドレール４２Ｌ、４２Ｒには、それぞれ凹部４２１Ｌ、４２１Ｒが設けられており、この凹部４２１Ｌ、４２１Ｒにボトムシャシ３２に取り付けられたレール３５Ｌ、３５Ｒに設けられている凸部が、摺動自在に係合するようになっている。そして、スライダ４１がレール３５Ｌ、３５Ｒに案内されて前後方向に移動する。
【００２７】
また、スライドレール４２Ｒには、その下面においてボトムシャシ３２のセンターレール３７の凸部と摺動自在に係合する凹部４２２が形成されており、スライダ４１はセンターレール３７に案内されて前後方向に移動する。このスライドレール４２Ｌ、４２Ｒにより、スライダ４１の移動がボトムシャシ３２との関係で規制されるため、移動部材４０、及び移動部材４０に装着されているパネル２０が、スムーズに安定して筐体３０から前後方向へ移動することができる。
【００２８】
支持ブラケット４３は、図４及び図５に示すように、金属板の両側端を折り曲げて断面視略コ字状となるように、側壁部４３ａ、４３ｂを形成している。この支持ブラケット４３には、その両側壁部４３ａ、４３ｂの内側に、長手方向に沿ったガイドレール４３Ｌ、４３Ｒが取り付けられている。このガイドレール４３Ｌ、４３Ｒは、内パネル２２のガイド溝２２Ｌ、２２Ｒに摺動自在に係合させることにより、パネル２０を装着することができる。また、支持ブラケット４３の底面部４３ｃには、回路基板接点４３ｄが設けられており、この回路基板接点４３ｄが、内パネル２２の裏面の回路基板接点（図示なし）と接触することによってパネル２０と、機器本体５０とが電気的に接続されるようになっている。また、底面部４３ｃには、水平状態となったパネル２０が勝手に支持ブラケット４３からずり落ちることを防止するためのストッパ４３ｅが形成されている。
【００２９】
また、支持ブラケット４３には、両側壁４３ａ、４３ｂの下部に穴４３１Ｌ、４１３Ｒが形成されており、この穴４３１Ｌ、４３１Ｒと、スライダ４１の板片４１Ｌ、４１Ｒの穴４１１ａ、４１１ｂとを左右で重ね、その重なりに図示しないピンを挿入することにより、スライダ４１の板４１Ａの前方に回動可能に連結されている。そして、ピン（図示なし）を中心にして、支持ブラケット４３が筐体３０方向に回動すると、支持ブラケット４３に装着されたパネル２０の内パネル２２は、板片４１Ｌ、４１Ｒの内側に収納され、外パネル２１は、板片４１Ｌ、４１Ｒの上部によって支持されることとなって、パネル２０は起立状態から水平状態へと移動する。
また、支持ブラケット４３の側壁４３ｂの上部の内面には、外パネル２１を持ち上げるためのリフトアーム４４が回動自在に取り付けられる。
【００３０】
リフトアーム４４は、一端側に半円柱状部４４ａと、他端側に角柱部４４ｂとを夫々備え、半円柱状部４４ａが支持ブラケット４３の側壁４３ｂの上部の内面に取り付けられ、角柱部４４ｂは、連結アーム４５に回動自在に連結される。また、リフトアーム４４の前面部４４ｃは、パネル２０が、支持ブラケット４３に装着される際に、外パネル２１の凹部２１ｃに当接している。そして、水平状態において、支持ブラケット４３に装着されたパネル２０を、支持ブラケット４３が連結されたスライダ４１ごと更に前方に移動させると、リフトアーム４４の前面部４４ｃが外パネル２１を押し上げて、外パネル２１を起立させるようになっている。
【００３１】
連結アーム４５は、前端部４５ａがリフトアーム４４の角柱部４４ｂに回動自在であるように取り付けられる。
また、連結アーム４５の後端部４５ｂには、図５に示すように、両側に突出したピン４５ｃが形成されている。このピン４５ｃは、内側に突出した内ピン部４５１が、スライダ４１の板片４１Ａのスライド溝４１１ｃに係合し、外側に突出した外ピン部４５２が、ボトムシャシ３２に設けられているカム溝３６ａに係合するようになっており、連結アーム４５がスライド溝４１１ｃ及びカム溝３６ａに沿って摺動自在に取り付けられる。
【００３２】
そして、図５及び７に示すように支持部材４０が、筐体３０の内部を前後方向移動する際、ピン４５ｃの内ピン部４５１は、スライド溝４１１ｃの最前部の位置に固定されたまま、ピン４５ｃの外ピン部４５２がカム溝３６ａを摺動するので、連結アーム４５は、スライダ４１と同期動作を行う。
また、筐体３０の前方へ移動した移動部材４０に装着されたパネル２０が水平状態となるように回動する際、パネル２０を装着した支持ブラケット４３を連結したスライダ４１が前方へ移動する。すると、スライダ４１及びリフトアーム４４に連結された連結アーム４５のピン４５ｃが、カム溝３６ａの形状に沿って、カム溝３６ａの最前部まで移動するので、連結アーム４５の後端部４５ｂは下方へ移動することとなり、それに伴って、連結アーム４５の前端部４５ａも下方へ移動する。従って、前端部４５ａの移動に伴って、前端部４５ａに連結されているリフトアーム４４を介してパネル２０が、後面側に傾斜することとなる。
【００３３】
機器本体５０は、筐体３０の内部で、且つ移動部材４０内側に収納され、その内部に図示しない再生装置や入出力端子が収納される。
また、図２に示すように、パネル２０の後方となる、機器本体５０の前面には、例えば、ＣＤ（Compact Disc）、ＭＤ(Mini Disk)等の記録媒体ディスクの出し入れ口５１が形成されている。
【００３４】
また、機器本体５０の内部には、図示しないモータ、減速ギア、駆動ギア等が収納されており、この図示しない駆動ギアと移動部材４０のラック４１Ｂとが噛み合っており、移動部材４０の前後方向の移動を可能にしている。
【００３５】
次に、上記構成を有する電子機器１０において、パネル２０の動作について図面に基づき、以下説明する。
【００３６】
パネル２０が、起立状態で、筐体３０の前面部に収納された状態（図２（ａ）、図６）から、機器本体５０の図示しないモータが回転駆動すると、その回転駆動力は、図示しない減速ギア、駆動ギア等を介してラック４１Ｂに伝達される。すると、図７に示すように、移動部材４０が前方向に移動する。詳細には、この時、スライドレール４２Ｌ、４２Ｒが、レール３５Ｌ、３５Ｒを摺動し、スライドレール４２Ｒが、センターレール３７上を摺動し、連結アーム４５のピン４５ｃの内ピン部４５１はスライド溝４１１ｃの最前部に固定されたまま外ピン部４５２がカム溝３６ａを摺動することによって、スライダ４１が前方向に移動して筐体３０の外部に露出し、支持ブラケット４３に装着されたパネル２０も、起立状態のまま前方へ移動する。
【００３７】
そして、移動部材４０が、筐体３０の外まで前進移動を完了した状態（図２の（ｂ））において、外パネル２１を筐体３０側に倒すようにして、後方向に力を加える、或いは、パネル２０の装着されているスライダ４１を水平方向に更に前方へ移動させるように引っ張ると、図７に示すように、支持ブラケット４３に連結されている連結アーム４５の前端部４３ａが下方に移動し、それに伴って後端部４５ｂのピン４５ｃの外ピン部４５２がカム溝３６ａの最前部まで下降してピン４５ｃは、同位置で固定される。一方、固定されたピン４５ｃの内ピン部４５１に対応して、スライダ４１は前方へ移動する。それにより、内パネル２２が板片４２Ｌ、４２Ｒの内側に収納され、外パネル２１が板片４２Ｌ、４２Ｒ上にもたれかかるようにしてパネル２０は略水平状態となる。ここで、機器本体５０の前面に設けられた記録媒体ディスクの出し入れ口５１が露出する。
【００３８】
この状態（図２の（ｃ））において、図８に示すように、パネル２０のみを前方向へ移動させると、外パネル２１の凹部２１ｃが、リフトアーム４４からはずれ、支持ブラケット４３のガイドレール４３Ｌ、４３Ｒに沿って、ガイド溝２２Ｌ、２２Ｒが摺動することとなって、パネル２０を支持ブラケット４３から取り外すことができる。
【００３９】
また、パネル２０が水平となった状態（図２の（ｃ）において、図９に示すように、更にパネル２０が装着された支持ブラケット４３を連結したスライダ４１を前方へ移動させると、リフトアーム４４の角柱部４４ｂ側が、前面部４５ｃを外パネル２１の凹部２１ｃに当接させたまま後ろ方向に回動するので、外パネル２１を押し上げる。従って、外パネル２１が後方向に回動して起立状態となり、図２の（ｄ）に示すように外パネル２１の内面２１ｂに設けられた表示画面２１ａや、内パネル２２の内面２２ｂに設けられた操作部２２ａが露出する展開状態となる。
【００４０】
このように、本実施の形態に係る電子機器１０によれば、パネル２０が閉状態において、表示画面２１ａと操作部２２ａとは内側に対向して設けられているので、外部からのほこり、盗難、いたずら操作等を防ぐことが可能である。
同時に、パネル２０は、表示画面２１ａを備えた外パネル２１と操作部２２ａを備えた内パネル２２とが折り畳まれる状態で、筐体３０の前面に設けられ、外パネル２１と内パネル２２とが展開することにより、表示画面２１ａと操作部２２ａが露出するように構成されているので、パネル２０を半回転させて表示画面側を内側に収納させるものに比べて、パネル２０自体を大きくすることができる。従って、表示画面２１ａを大きく形成することができ、使い勝手がよいものとなる。
【００４１】
また、パネル２０が、外パネル２１と内パネル２２とが折り畳まれ、展開されるので、従来の一のパネル内に表示画面と操作部を設ける構成のものに比べて、表示画面或いは操作部を大きく形成することができる。
【００４２】
また、内パネル２２は、筐体３０の内部に収納されるため、パネル２０が折り畳まれることによって厚みが増加して、パネル２０が前面側に出っ張ってしまうという問題も解消される。
更に、表示画面２１ａと操作部２２ａとは、独立して角度を変更できるため、表示画面２１ａを見やすい角度に調節でき、操作部２２ａも押しやすい角度に調整できる。
【００４３】
また、本電子機器１０において、記録媒体等の出し入れ口５１は、パネル２０の後方となる筐体内部３０の機器本体５０の前面に設けられるが、パネル２０は、起立状態から水平状態へと回動可能なために、記録媒体の出し入れを行うことができる。従って、出し入れ口５１をパネル２０が起立状態のときに前面側に露出させておく必要がないので、その分のスペースをパネルが専有できることとなって、より大きなパネルを設けることができる。
【００４４】
また、パネル２０が水平状態になった際、更にスライダ４１を前方に移動させると、リフトアーム４４によって外パネル２１が後方に回動し表示画面２１ａ等が露出されるので、手作業によって外パネル２１を持ち上げるよりも容易な動作で行うことが出来る。
【００４５】
さらに、パネル２０は、移動部材４０から着脱可能な構造となっているので、盗難防止の為に、持ち歩いたり別の場所に保管したりすることができる。
【００４６】
尚、上記実施の形態は、一例に過ぎず、適宜変更可能である。
例えば、図１０に示す電子機器６０のように、表示画面６１ａを備えた内パネル６１と、操作部６２ａを備えた外パネル６２とを、表示画面６１ａと操作部６２ａとが対向するように配置し、下端部を回動自在に連結部６３により連結して形成したパネル６３を、筐体６４の前部に設ける構造であってもよい。この場合、パネル６３の表示画面６１ａを備えた内パネル６１の後面側に移動部材６５が配され、この移動部材６５によりパネル６３は、起立状態のまま、筐体６４の前後方向に移動することができる。そして、パネル６３は、前方へ移動した状態において、パネル６３の下端部に設けられた連結部６３ａを介して外パネル６２を前方へ回動させることにより、表示画面６１ａ及び操作部６２ａが露出する。
また、起立状態で前方へ移動したパネル６３全体を、連結部６３ａを介して前方へ回動させ水平状態にすることが可能となるようにしてもよい。この場合、例えば、筐体６３内部に設けられた記憶媒体の出し入れ口への記録媒体の出し入れが可能となる。そしてこの水平状態のパネル６３の外パネル６２を回動させ起立状態にして、表示画面６１ａ及び操作部６２ａを露出させるようにしてもよい。
【００４７】
また、本実施の形態では、本発明をカーオーディオに適用した例を挙げたが、本発明はこれに限定されず、一般のオーディオ機器、小型或いは携帯テレビ、カーナビゲーション装置、その他各種計測装置や家電製品に適用可能である。
【００４８】
【発明の効果】
本発明によれば、本発明に係る電子機器のパネルは、表示部を有する第１パネル部と、操作部を有する第２パネル部とを備え、第１パネル部と第２パネル部とは、一端が回動自在に連結されている。そして、表示部の表示面と、前記操作部の操作面とが対向して折り畳まれた第１の状態で、筐体の前面部に設けられているので、電子機器が、盗難や、いたずら操作をされることを防ぐ事が出来る。また、電子機器を用いる場合は、前記第１パネル部又は第２パネル部が回動することによって、表示面及び前記操作面が展開して前記筐体の前面側に露出した第２の状態が形成される。即ち、表示面と操作面とが別パネルに設けられているので、表示面が大きいので見やすい上、操作面の操作ボタン等も押しやすく、使い勝手がよい。
【図面の簡単な説明】
【図１】本発明の電子機器１０における、パネル２０、ボトムシャシ３２、移動部材４０の分解斜視図である。
【図２】本発明の電子機器１０におけるパネル２０の動作を説明するための図であって、（ａ）は、パネル２０の閉状態を示し、（ｂ）は、パネル２０が起立状態のまま前方へ移動した状態を示し、（ｃ）は、パネル２０が後方へ回動した略水平状態を示し、（ｄ）は、略水平状態のパネルが展開した状態を示す図である。
【図３】図１のパネル２０を示す図である。
【図４】図１のパネル２０及び移動部材４０を示す分解斜視図である。
【図５】ボトムシャシ３２と、ボトムシャシ３２内に収納された移動部材４０との係合状態を正面から説明するための図である。
【図６】パネル２０が閉状態の電子機器１０を側面から説明する透視図である。
【図７】電子機器１０のパネル２０の前方向への移動、及び後方向へ回動する動作を側面から説明する透視図である。
【図８】パネル２０が、移動部材４０から外れた状態を説明する斜視図である。
【図９】水平状態のパネル２０が展開する動作を側面から説明する透視図である。
【図１０】本発明の電子機器のその他の例である電子機器６０を説明する斜視図である。
【図１１】従来例における電子機器を示す斜視図である。
【符号の説明】
１０    電子機器
２０    パネル
２１    外パネル（第１パネル部）
２１ａ  表示画面（表示部、表示面）
２２    内パネル（第２パネル部）
２２ａ  操作部（操作部、操作面）
３０    筐体
４０    移動部材
４１    スライダ（パネル回動手段、第２のパネル回動手段）
４１Ｌ  板片（アーム）
４１Ｒ  板片（アーム）
４４    リフトアーム（第２のパネル回動手段）
４５    連結アーム（パネル回動手段、第２のパネル回動手段）
５０    機器本体
５１    ディスク出し入れ口
【図１】
0003931077.tif 000002
【図２】
0003931077.tif 000003
【図３】
0003931077.tif 000004
【図４】
0003931077.tif 000005
【図５】
0003931077.tif 000006
【図６】
0003931077.tif 000007
【図７】
0003931077.tif 000008
【図８】
0003931077.tif 000009
【図９】
0003931077.tif 000010
【図１０】
0003931077.tif 000011
【図１１】
0003931077.tif 000012